(57)【要約】【課題】複数の薄葉紙包装体を積み重ねて設置することができる薄葉紙収納容器を提供する。【解決手段】薄葉紙収納容器１Ａにおいて、薄葉紙が積層または巻回された薄葉紙集合体を収納する箱体２Ａと、箱体２Ａの底面部２４Ａに設けられた第一連結部３１Ａと、箱体２Ａの天面部２２Ａに設けられ、異なる薄葉紙収納容器１Ｂの箱体２Ｂに設けられた第一連結部３１Ｂと連結するための第二連結部３２Ａと、を備え、箱体２Ａは、前記薄葉紙を取り出すための取出し口２１Ａを備え、取出し口２１Ａは前記薄葉紙収納容器１Ａ、１Ｂ同士が上下方向に連結された際に露出した位置に設けられる。【選択図】図２
2015174658.tif 000002
【特許請求の範囲】
【請求項１】
薄葉紙が積層または巻回された薄葉紙集合体を収納する箱体と、
前記箱体の底面部に設けられた第一連結部と、
前記箱体の天面部に設けられ、異なる薄葉紙収納容器の箱体に設けられた前記第一連結部と連結するための第二連結部と、を備え、
前記箱体は、前記薄葉紙を取り出すための取出し口を備え、
前記取出し口は前記薄葉紙収納容器同士が上下方向に連結された際に露出した位置に設けられていることを特徴とする薄葉紙収納容器。
【請求項２】
前記薄葉紙収納容器同士は、上下方向に隙間を有して連結され、
前記取出し口は、天面部と正面部により形成される角部に跨って設けられていることを特徴とする請求項１に記載の薄葉紙収納容器。
【請求項３】
前記第一連結部及び前記第二連結部は、前記箱体の内部又は前記箱体から突出しないように外表面に沿った状態に収納可能であることを特徴とする請求項１又は２に記載の薄葉紙収納容器。
【請求項４】
前記第一連結部及び前記第二連結部のうち、一方は凹部を有し、他方は凸部を有し、
前記凹部と前記凸部が互いに係合されることで前記薄葉紙収納容器同士が連結されることを特徴とする請求項１〜３の何れか一項に記載の薄葉紙収納容器。
【発明の詳細な説明】
【技術分野】
【０００１】
本発明は、薄葉紙収納容器に関する。
【背景技術】
【０００２】
薄葉紙をポップアップ式に取り出せるように複数枚積層して包装した包装体では、取出し口を包装体の天面のほぼ中央に設けたものが広く用いられている。このような包装体は、天面のほぼ全体が広く開放された状態で使用しなければならないため、設置場所が限定される。
そこで、取出し口を天面と側面に跨った角部付近に設けた包装用容器が提案されている（例えば、特許文献１、２参照）。このような包装用容器によれば、様々な方向から薄葉紙を取り出すことができ、例えば、机の引き出しに収納して使用する場合に、引き出しを大きく開いて上面全体を露出させなくても薄葉紙を取出せるなど、様々な使い方に対応することができる。
【先行技術文献】
【特許文献】
【０００３】
【特許文献１】特許第４２１６８９６号公報
【特許文献２】特許第４９７７２６９号公報
【発明の概要】
【発明が解決しようとする課題】
【０００４】
ところで、近年、特定の目的に特化した薄葉紙が多く開発されており、用途に応じて複数種類の薄葉紙を使い分けることが多くなっている。
上記特許文献１及び２に記載の発明は、取出し口の少なくとも一部は天面に面しているため、複数の包装体を上下方向に積み重ねて天面が覆われた状態では、薄葉紙を取出し難いという問題点がある。
一方、複数の薄葉紙包装体を並べて上面が開放された状態で一つ一つ設置するには広い場所が必要となる。
【０００５】
本発明の主たる課題は、上下方向に複数積み重ねても内部に収納された薄葉紙の取出しが容易な薄葉紙収納容器を提供することである。
【課題を解決するための手段】
【０００６】
上記課題を解決するために、請求項１に記載の発明は、薄葉紙収納容器において、
薄葉紙が積層または巻回された薄葉紙集合体を収納する箱体と、
前記箱体の底面部に設けられた第一連結部と、
前記箱体の天面部に設けられ、異なる薄葉紙収納容器の箱体に設けられた第一連結部と連結するための第二連結部と、を備え、
前記箱体は、前記薄葉紙を取り出すための取出し口を備え、
前記取出し口は前記薄葉紙収納容器同士が上下方向に連結された際に露出する位置に設けられていることを特徴とする。
【０００７】
請求項２に記載の発明は、請求項１に記載の薄葉紙収納容器において、
前記薄葉紙収納容器同士は、上下方向に隙間を有して連結され、
前記取出し口は、天面部と正面部により形成される角部に跨って設けられていることを特徴とする。
【０００８】
請求項３に記載の発明は、請求項１又は２に記載の薄葉紙収納容器において、
前記第一連結部及び前記第二連結部は、前記箱体の内部又は前記箱体から突出しないように外表面に沿った状態に収納可能であることを特徴とする。
【０００９】
請求項４に記載の発明は、請求項１〜３の何れか一項に記載の薄葉紙収納容器において、
前記第一連結部及び前記第二連結部のうち、一方は凹部を有し、他方は凸部を有し、
前記凹部と前記凸部が互いに係合されることで前記薄葉紙収納容器同士が連結されることを特徴とする。
【発明の効果】
【００１０】
本発明に係る薄葉紙収納容器によれば、当該薄葉紙収納容器を上下方向に複数積み重ねても、それぞれの薄葉紙収納容器の内部に収納された薄葉紙を容易に取り出すことができる。
【図面の簡単な説明】
【００１１】
【図１】第一実施形態の薄葉紙収納容器を示す斜視図である。
【図２】図１の薄葉紙収納容器を積み重ねた状態を示す斜視図である。
【図３】図１のIII−III線における断面図である。
【図４】第二実施形態の薄葉紙収納容器を示す斜視図である。
【図５】図４の薄葉紙収納容器のV−V線における断面図である。
【図６】図４の薄葉紙収納容器のVI−VI線における断面図である。
【図７】第三実施形態の薄葉紙収納容器を示す斜視図である。
【図８】図７の薄葉紙収納容器を積み重ねた状態を示す斜視図である
【図９】図７の薄葉紙収納容器のIX−IX線における断面図である。
【発明を実施するための形態】
【００１２】
以下、図を参照して、本発明を実施するための形態を詳細に説明する。ただし、発明の範囲は図示例に限定されない。
【００１３】
＜薄葉紙＞
本発明の薄葉紙収納容器１は、キッチンタオル、ペーパータオル、ティシュー、キッチン用不織布等の、シートタイプの紙製品である薄葉紙を収納するものである。例えば、ポップアップ式に取り出せるように積層された薄葉紙、または、一定幅に形成された帯状ペーパーがロール状に巻かれ、幅方向に延在する破断用のミシン目が所定の間隔毎に形成された薄葉紙を収納できる。
また、薄葉紙収納容器１は、薄葉紙を可撓性フィルムやカートンブランクよりなる箱で包装した包装体を収納することも可能である。
なお、以下の説明では、本発明に係る薄葉紙収納容器１は、薄葉紙の積層体を収納するものとする。
【００１４】
＜薄葉紙収納容器＞
薄葉紙収納容器１は、図１に示すように、積層体を収納する箱体２と、箱体２を上下方向に積み重ねて連結する連結部３と、を備える。箱体２及び連結部３は、合成樹脂、金属、木材等、任意の素材を用いて、周知の方法で成型することが可能である。
【００１５】
箱体２は、積層体を収納し得る内部空間が形成される形状のものであれば任意であり、例えば、直方体状、立方体状等の六面体状のものを挙げることができる。図１に示される薄葉紙収納容器１は、箱体２を直方体状に構成した例である。箱体２は、収納する積層体より若干大きく形成される。
【００１６】
なお、以下の説明では、図１に示すように、箱体２の正面方向を前方、背面方向を後方、高さ方向を上下方向、取出し口２１の長手方向を左右方向、とする。
【００１７】
箱体２は、薄葉紙を一枚ずつ外部へ取出すことができる取出し口２１、及び、積層体を収納するための図示しない詰替え口を備える。
取出し口２１の大きさ及び形状は任意であるが、例えば、図１に示すように、天面部２２及び正面部２３により形成される角部に跨るように設けると、薄葉紙集合体がロール状であってもポップアップ式に取出す積層体形状であっても容易に薄葉紙を取り出すことができ、また、薄葉紙収納容器１を上下方向に積み重ねても、取出し口２１が前面付近にあるため取出し易く好ましい。
詰替え口は、箱体２の何れの面に設けられても良いが、連結部３による連結を外すことなく、薄葉紙収納容器１を積み重ねたままで積層体を収納できるように、例えば背面部に形成されると良い。
【００１８】
連結部３は、箱体２の底面部２４に設けられた第一連結部３１と、箱体２の天面部２２に設けられた第二連結部３２を備え、一つの薄葉紙収納容器１の第一連結部３１と、別の薄葉紙収納容器１の第二連結部３２を連結することにより、複数の箱体２を上下方向に積み重ねて連結することができる。
第一連結部３１及び第二連結部３２の形状は任意であるが、連結時に取出し口２１の全体が露出されることが好ましい。例えば、図１に示すように、取出し口２１が天面部２２及び正面部２３により形成される角部に跨って形成される薄葉紙収納容器１においては、二つの薄葉紙収納容器の箱体２同士が上下方向に１０〜２０ｍｍ離間して連結されると、薄葉紙を摘まんで取出し易く好適である。
【００１９】
連結部３は、複数の箱体２を容易に連結したり取り外したりすることができるものであれば任意であるが、さらに、積み重ねた箱体２が前後及び左右方向にずれないように連結され、連結部３が箱体２の外表面から突出しない状態に収納可能であると、積み重ねずに用いる場合にも邪魔にならないため好ましい。また、連結部３は、箱体２と一体化されていても良いし、連結時のみ取り付けても良い。
以下、連結部３の具体的な構造について、例を挙げて詳細に説明する。
【００２０】
＜第一実施形態＞
第一実施形態における連結部３は、例えば、図１に示すように、箱体２の底面部２４の左右両端部付近から下方に突出し、更に下端部が左右方向の外側に向いたＬ字型のフック形状を有する第一連結部３１と、箱体２の天面部２２の左右両端部付近から上方に突出し、更に端部が左右方向の内側に向いて突出したＬ字型のフック形状を有する第二連結部３２と、を備える。
より具体的には、図１及び図３（ａ）に示すように、第一連結部３１は、例えば、箱体２の底面部２４の左右両端部付近から１０ｍｍ下方に突出し、更に下端部が左右方向の３０ｍｍ外側に向いており、第二連結部３２は、箱体２の天面部２２の左右両端部付近から最大で１０ｍｍ上方に突出し、更に上端部が左右方向の３０ｍｍ内側に向いている。
【００２１】
第一実施形態の箱体２において、第一連結部３１を備えた底面部２４は、取り外し可能であり、第一連結部３１を箱体２の内側又は外側の任意の方向に向けて取り付けることができる（図３（ａ）、（ｂ））。また、第二連結部３２を備えた天面部２２も同様に、取り外し可能であり、第二連結部３２を箱体２の内側又は外側の任意の方向に向けて取り付けることができる（図３（ａ）、（ｂ））。
第一実施形態の箱体２においては、天面部２２を取り外すことで内部の積層体を詰替え可能である。
【００２２】
図２に示すように、１つの薄葉紙収納容器１Ａの第二連結部３２Ａと、同一形状を備えた別の薄葉紙収納容器１Ｂの第一連結部３１Ｂを、前後方向にスライドさせて嵌合すると、箱体２Ａの天面部２２Ａと箱体２Ｂの底面部２４Ｂとの間に約２０ｍｍの隙間が空いた状態で、薄葉紙収納容器１Ａ、１Ｂが上下方向に積み重ねて連結される。
具体的には、例えば、第一連結部３１及び第二連結部３２が磁石となっていて磁力によって連結されたり、あるいは、第一連結部３１及び第二連結部３２の何れか一方に係合溝を設け、他方を当該係合溝に係合させると、薄葉紙取出し時などに薄葉紙収納容器１Ａ、１Ｂが前後方向にずれ難い。
【００２３】
連結した薄葉紙収納容器１Ａ、１Ｂの上部又は下部に、さらに別の薄葉紙収納容器１Ｃを連結することも可能であり、その場合も同様に、全ての薄葉紙収納容器１から容易に薄葉紙を取出すことができる。
【００２４】
第一実施形態の連結部３によれば、複数の薄葉紙収納容器１を上下方向に積み重ねて設置しても、それぞれの薄葉紙収納容器１の取出し口２１の全体が露出しているため、内部に収納された薄葉紙を容易に取り出すことができる。また、積み重ねる薄葉紙の数や順番を、使用状況に応じて自在に変更できる。
また、積み重ねずに使用する場合には、第一連結部３１及び第二連結部３２を箱体２の内面に向けて収納することができるので、設置時に邪魔にならない。
また、積み重ねずに使用する場合であっても、必要に応じて底面部の第一連結部を箱体の外側に向けて使用することができ、収納容器を載置する床面等から底面部を浮かせて使用することができるので、衛生的である。
【００２５】
＜第二実施形態＞
第二実施形態における連結部３は、例えば、図４に示すように、箱体２の底面部２４の左右両端部付近から下方に突出し、更に下端部が左右方向の外側に向いたＬ字型のフック形状を有する第一連結部３１と、箱体２の天面部２２の左右両端部付近から上方に突出し、更に端部が左右方向の内側に向いて突出したＬ字型のフック形状を有する第二連結部３２と、を備える。より具体的には、第一連結部３１は、例えば、箱体２の底面部２４の左右両端部付近から１５ｍｍ下方に突出し、更に下端部が左右方向の３０ｍｍ外側に向いており、第二連結部３２は、箱体２の天面部２２の左右両端部付近から最大で１５ｍｍ上方に突出し、更に上端部が左右方向の３０ｍｍ内側に向いている。
一つの薄葉紙収納容器１Ａの第二連結部３２Ａと、別の薄葉紙収納容器１Ｂの第一連結部３１Ｂを前後方向にスライドさせて嵌合すると、図２に示す第一実施形態と同様に、薄葉紙収納容器１Ａ、１Ｂを上下に積み重ねて連結することができる。
【００２６】
図５（ａ）、（ｂ）に示すように、第一連結部３１と箱体２との接合部分はヒンジ３１３となっており、第一連結部３１は箱体２に対して回動可能である。また、箱体２の左右の側面部及び底面部２４には、第一連結部３１の形状に凹んだ収納部２５が設けられている。これにより、薄葉紙収納容器１を積み重ねずに単独で使用する際には、Ｌ字型のフック形状である第一連結部３１を、箱体２の底面部２４及び側面部の収納部２５に収納させる（図５（ｂ））ことで、箱体２の外表面から突出させずに収納できる。
また、図５（ｂ）に示すように、第一連結部３１に設けられた凹部３１２は、第一連結部３１を収納部２５に収納した際には、箱体２の側面部に設けられた凸部３１１と嵌合可能であるため、第一連結部３１を箱体２の収納部２５に安定した状態に固定可能である。
【００２７】
第二連結部３２は、図５に示すように、箱体２に対して上下方向にスライド可能に形成され、第二連結部３２を上方に引き出した状態では、第二連結部３２の下部に設けられた前後方向に突出した突出部３２３がストッパーとなって、第二連結部３２が箱体２から抜けないようになっている（図６（ａ））。また、箱体２の天面部２２には、第２連結部３２を内部に収納可能な収納部２６が設けられている。これにより、薄葉紙収納容器１を積み重ねずに単独で使用する際には、図５（ｂ）、図６（ｂ）のように、第二連結部３２を押し下げることで、箱体２の外表面から突出せず、箱体２の内部及び天面部２２の外表面に沿った状態（図５（ｂ）、図６（ｂ））に収納できる。
【００２８】
また、第二連結部３２は、上端の左右方向内向きに突出した部分の下面に凸部３２１を備え、薄葉紙収納容器１を積み重ねた際に凸部３２１と第一連結部３１の凹部３１２が嵌合可能とすると、薄葉紙収納容器１Ａの第二連結部３２Ａと、薄葉紙収納容器１Ｂの第一連結部３１Ｂを前後方向にスライドさせて嵌合した後に、第二連結部３２を押し下げることによって、凸部３２１と凹部３１２を嵌合することができ、薄葉紙収納容器１Ａ、１Ｂが前後方向にずれることなく連結される。
【００２９】
１つの薄葉紙収納容器１Ａの第一連結部３１Ａと、同一形状を備えた別の薄葉紙収納容器１Ｂの第二連結部３２Ｂを、前後方向にスライドさせて嵌合すると、図２に示す第一実施形態と同様に、箱体２Ａの天面部２２Ａと箱体２Ｂの底面部２４Ｂとの間に約１５ｍｍの隙間が空いた状態で、薄葉紙収納容器１Ａ、１Ｂが上下方向に積み重ねて連結される。さらに、第二連結部３２を押し下げることで、第一連結部３１の凹部３１２と第二連結部３２の凸部３２１が嵌合され、薄葉紙収納容器１Ａと薄葉紙収納容器１Ｂが前後方向にずれないように固定される。
【００３０】
第二実施形態の連結部３によれば、複数の薄葉紙収納容器１を上下方向に積み重ねて設置しても、それぞれの薄葉紙収納容器１の取出し口２１の全体が露出しているため、内部に収納された薄葉紙を容易に取り出すことができる。また、積み重ねる薄葉紙の数や順番を、使用状況に応じて自在に変更できる。
また、積み重ねずに使用する場合には、第一連結部３１及び第二連結部３２を箱体２の外表面に沿った状態に収納することができるので、設置時に邪魔にならない。
また、積み重ねずに使用する場合であっても、必要に応じて底面部の第一連結部を箱体の外側に向けて使用することができ、収納容器を載置する床面等から底面部を浮かせて使用することができるので、衛生的である。
さらに、第一連結部３１の凹部３１２と第二連結部３２の凸部３２１によって、前後方向にずれないように固定可能なので、取出し時などに積み重ねた薄葉紙収納容器同士がずれることがない。
また、上端にフック等を取り付けて、扉の上部などに引っ掛けて使用することもできる。
【００３１】
＜第三実施形態＞
第三実施形態における連結部３は、例えば、図７に示すように、箱体２の底面部２４の左右両端部付近から下方に突出した第一連結部３１と、箱体２の天面部２２の左右両端部付近に設けられた孔である第二連結部３２と、を備える。
より具体的には、図７に示すように、第一連結部３１は箱体２の底面部２４の左右両端部付近から約２０ｍｍ下方に突出し、第二連結部３２は箱体２の天面部２２の左右両端部付近に設けられた孔又は凹部である。第一連結部３１の下端から５〜１０ｍｍ上方の前端及び後端には、前後方向に５ｍｍずつ突出した凸部３１１を備える。第一連結部３１の凸部３１１を除いた前後方向長さは、第二連結部の前後方向長さとほぼ等しく、一つの薄葉紙収納容器１Ａの天面部２２Ａ付近の第二連結部３２Ａと、別の薄葉紙収納容器１Ｂの底面部２４Ｂの第一連結部３１Ｂは嵌合可能であり、図８に示すように、箱体２Ａの天面部２２Ａと箱体２Ｂの底面部２４Ｂとの間に約１５ｍｍの隙間が空いた状態で、薄葉紙収納容器１Ａ、１Ｂを上下に積み重ねて連結することができる。
【００３２】
第一連結部３１と箱体２との接合部分は、図９（ａ）、（ｂ）に示すように、ヒンジ３１３となっており、第一連結部３１は箱体２に対して回動可能である。また、箱体２の底面部２４には、第一連結部３１の形状に凹んだ収納部２５が設けられている。これにより、薄葉紙収納容器１を積み重ねずに単独で使用する際には、第一連結部３１を、箱体２の底面部に沿った状態（図９（ａ））に収納できる。
【００３３】
第一連結部３１の凸部３１１は、第一連結部３１の前端及び後端に位置して前後方向に突出した凸部に限られるものではなく、第一連結部３１の全体が第二連結部３２に入らないようなストッパーとして機能するものであれば、形状及び位置は任意である。例えば、左右方向に突出した凸部を備えても良い。
また、第二連結部３２が箱体２の内部に貫通する孔でなく、凹部である場合は、第一連結部３１に凸部３１１を設ける必要はない。
【００３４】
第二連結部３２は、箱体２の内部に貫通しない凹部、又は、開閉可能に形成された孔であれば、積み重ねて使用しない場合でも、箱体２の内部に埃等が入らないため、衛生的である。
【００３５】
また、第一連結部３１が箱体２の底面部２４の左右両端部付近に設けられた孔であり、第二連結部３２が箱体２の天面部２２の左右両端部付近から上方に突出し、第一連結部３１と第二連結部３２が嵌合可能であっても良い。
【００３６】
第三実施形態の連結部３によれば、複数の薄葉紙収納容器１を上下方向に積み重ねて設置しても、それぞれの薄葉紙収納容器１の取出し口２１の全体が露出しているため、内部に収納された薄葉紙を容易に取り出すことができる。また、積み重ねる薄葉紙の数や順番を、使用状況に応じて自在に変更できる。
また、積み重ねずに使用する場合には、第一連結部３１を箱体２の底面部２４に沿った状態に収納することができるので、設置時に邪魔にならない。
また、積み重ねずに使用する場合であっても、必要に応じて底面部の第一連結部を箱体の外側に向けて使用することができ、収納容器を載置する床面等から底面部を浮かせて使用することができるので、衛生的である。
さらに、一つの薄葉紙収納容器の上に別の薄葉紙収納容器を載置するだけで連結可能であり、スライドさせて嵌合させる手間が不要なので、設置が容易である。
【００３７】
なお、本発明は上記実施の形態に限るものではなく、その要旨を逸脱しない範囲で適宜変更可能である。
上記実施の形態においては、取出し口２１を天面部２２及び正面部２３により形成される角部に跨るように設けるとしたが、例えば、特にロール状シートの収納に適した薄葉紙収納容器１’として、取出し口２１’を正面部２３に設けても良い。このような薄葉紙収納容器１’においては、上方に別の薄葉紙収納容器１’を積み重ねた時に、天面部２２と底面部２４の間に上下方向に隙間が空かないような連結部３’が形成されても良い。このように取出し口２１’を正面部２３に設けた薄葉紙収納容器１’と、上記実施の形態に記載の取出し口２１を天面部２２及び正面部２３により形成される角部に跨るように設けた薄葉紙収納容器１とを、任意に組み合わせて積み重ねられるように連結部３および連結部３’が形成されると、さらに好適である。
【符号の説明】
【００３８】
１、１Ａ、１Ｂ、１Ｃ、１’    薄葉紙収納容器
２、２Ａ、２Ｂ、２Ｃ          箱体
２１、２１Ａ、２１Ｂ、２１Ｃ、２１’  取出し口
２２、２２Ａ、２２Ｂ、２２Ｃ  天面部
２３、２３Ａ、２３Ｂ、２３Ｃ  正面部
２４、２４Ａ、２４Ｂ、２４Ｃ  底面部
２５、２６                    収納部
３、３’                      連結部
３１、３１Ａ、３１Ｂ、３１Ｃ  第一連結部
３２、３２Ａ、３２Ｂ、３２Ｃ  第二連結部
３１１、３１１Ａ、３１１Ｂ、３２１  凸部
３１２、３２２                凹部
３１３                        ヒンジ
３２３                        突出部
【図１】
2015174658.tif 000003
【図２】
2015174658.tif 000004
【図３】
2015174658.tif 000005
【図４】
2015174658.tif 000006
【図５】
2015174658.tif 000007
【図６】
2015174658.tif 000008
【図７】
2015174658.tif 000009
【図８】
2015174658.tif 000010
【図９】
2015174658.tif 000011